(57)【要約】【課題】  利用者による数少ない操作により、利用者が目的とする複数の場所を、利用者に一目で認識させる位置描画装置を提供する。【解決手段】  利用者によって自由に決定された第１の検索キーワードを受け付ける受付部２と、所定の領域内の多数の区画それぞれの内容を文字により特定する区画内容情報から、第１の検索キーワードを含む複数の区画を検索する検索部６と、多数の区画それぞれの位置を特定する区画位置情報から、第１の検索キーワードを含む複数の区画それぞれの位置を取得する区画位置取得部９と、第１の検索キーワードを含む複数の区画それぞれの位置の情報に基づいて、第１の検索キーワードを含む複数の区画を、第１の検索キーワードを含まない区画と区別して、上記領域の地図に描画する描画部１１とを備える。【選択図】      図２
2006120053.tif 000002
【特許請求の範囲】
【請求項１】
与えられたキーワードに該当する位置を描画する位置描画装置であって、
利用者によって自由に決定された第１の検索キーワードを受け付ける受付手段と、
所定の領域内の多数の区画それぞれの内容を文字により特定する区画内容情報から、前記第１の検索キーワードを含む複数の区画を検索する検索手段と、
前記多数の区画それぞれの位置を特定する区画位置情報から、前記第１の検索キーワードを含む複数の区画それぞれの位置を取得する位置取得手段と、
前記第１の検索キーワードを含む複数の区画それぞれの位置の情報に基づいて、前記第１の検索キーワードを含む複数の区画を、前記第１の検索キーワードを含まない区画と区別して、前記領域の地図に描画する描画手段と
を備えることを特徴とする位置描画装置。
【請求項２】
前記描画手段は、前記第１の検索キーワードを含む区画と、前記第１の検索キーワードを含まない区画とを、異なる色を用いて区別して前記地図に描画する
ことを特徴とする請求項１記載の位置描画装置。
【請求項３】
前記位置描画装置は、更に、
前記区画内容情報から、前記第１の検索キーワードを含む各区画の内容を取得する内容取得手段と、
前記前記内容取得手段によって取得された内容の一覧表を作成する一覧表作成手段と
を備えることを特徴とする請求項１記載の位置描画装置。
【請求項４】
前記受付手段は、更に、前記第１の検索キーワードを含む複数の区画の中から何れかの区画の選択を受け付け、
前記描画手段は、更に、前記選択に対応する区画を、前記第１の検索キーワードを含む複数の区画の中の前記選択に対応しない区画とも区別して前記地図に描画する
ことを特徴とする請求項１記載の位置描画装置。
【請求項５】
前記受付手段は、更に、利用者によって自由に決定された第２の検索キーワードを受け付け、
前記検索手段は、更に、前記区画内容情報から、前記第１の検索キーワードと前記第２の検索キーワードとを含む区画を検索し、
前記位置取得手段は、更に、前記区画位置情報から、前記第１の検索キーワードと前記第２の検索キーワードとを含む区画の位置を取得し、
前記描画手段は、更に、前記第１の検索キーワードと前記第２の検索キーワードとを含む区画の位置の情報に基づいて、前記第１の検索キーワードと前記第２の検索キーワードとを含む区画を、前記第１の検索キーワードのみを含む区画とも区別して前記地図に描画する
ことを特徴とする請求項１記載の位置描画装置。
【請求項６】
前記位置描画装置は、更に、
前記区画内容情報を記憶する区画内容記憶手段
を備えることを特徴とする請求項１記載の位置描画装置。
【請求項７】
前記位置描画装置は、更に、
前記区画位置情報を記憶する区画位置記憶手段
を備えることを特徴とする請求項１記載の位置描画装置。
【請求項８】
前記位置描画装置は、更に、
前記地図を記憶する地図記憶手段
を備えることを特徴とする請求項１記載の位置描画装置。
【請求項９】
与えられたキーワードに該当する位置を描画する位置描画方法であって、
利用者によって自由に決定された第１の検索キーワードを受け付ける受付ステップと、
所定の領域内の多数の区画それぞれの内容を文字により特定する区画内容情報から、前記第１の検索キーワードを含む複数の区画を検索する検索ステップと、
前記多数の区画それぞれの位置を特定する区画位置情報から、前記第１の検索キーワードを含む複数の区画それぞれの位置を取得する位置取得ステップと、
前記第１の検索キーワードを含む複数の区画それぞれの位置の情報に基づいて、前記第１の検索キーワードを含む複数の区画を、前記第１の検索キーワードを含まない区画と区別して、前記領域の地図に描画する描画ステップと
を含むことを特徴とする位置描画方法。
【請求項１０】
与えられたキーワードに該当する位置を描画するためのプログラムであって、
利用者によって自由に決定された第１の検索キーワードを受け付ける受付ステップと、
所定の領域内の多数の区画それぞれの内容を文字により特定する区画内容情報から、前記第１の検索キーワードを含む複数の区画を検索する検索ステップと、
前記多数の区画それぞれの位置を特定する区画位置情報から、前記第１の検索キーワードを含む複数の区画それぞれの位置を取得する位置取得ステップと、
前記第１の検索キーワードを含む複数の区画それぞれの位置の情報に基づいて、前記第１の検索キーワードを含む複数の区画を、前記第１の検索キーワードを含まない区画と区別して、前記領域の地図に描画する描画ステップと
をコンピュータに実行させるためのプログラム。
【発明の詳細な説明】
【技術分野】
【０００１】
本発明は、与えられたキーワードに該当する位置を描画する位置描画装置に関する。
【背景技術】
【０００２】
従来から、例えば企業や大学は、自らが行なっている研究開発の内容を、ポスターセッションを用いて発表している。このポスターセッションへの来場者は、個人ごとに、特定の事柄について聴きたい、知りたいなどの要求を持ち、その要求を満たす場所を目的の場所とし、その目的の場所に行く、もしくは複数の目的の場所を巡る、という行動をとる。
【０００３】
ところで、ポスターセッション会場では比較的広い領域内に、数多くの発表が行われる区画が存在するため、来場者が目的の場所（区画）を即座に確認し、そこに到ることは容易ではない。また、目的の場所が複数ある場合は、複数の目的の場所を効率的に巡ることは難しい。
【０００４】
そこで、従来、来場者を効率的に目的の場所に到らせるためのツールとして、壁に掛けられた標識や、紙に印刷された案内図などが用いられている。
【０００５】
また、近年のコンピュータや、ネットワークの普及に伴い、来場者や来場予定者自身による操作により、その人が目的とする場所を検索し、その結果として目的の場所を案内図に表示して印刷する案内システムも存在する（例えば、特許文献１参照）。
【０００６】
図１５は、その案内システムによって表示される表示画面の一例を示す図である。この案内システムは、目的の場所の検索に、階層化された選択メニューを用いるシステムであり、第一階層となる選択メニュー４００内に表示された「婦人用品」という項目４０１が選択されると、第二階層である選択メニュー４１０を表示する。その中に表示された「バッグ」という項目４１１が選択されると、案内システムは該当の３店舗を斜線で示した案内図４２０を表示する。
【特許文献１】特開２００３−３２３１１４号公報
【発明の開示】
【発明が解決しようとする課題】
【０００７】
しかしながら、上記従来の案内システムでは、検索対象となる会場や施設の規模の大きさに比例して項目の数が増え、また、選択メニューの階層も深まるので、最終的に案内図が表示されるまでに長時間を要する可能性が高くなる。また、従来の案内システムは予め定められた選択メニューに従って検索を行うため、案内システムを利用する来場者や来場予定者、つまり、案内システムを利用する利用者は、真に自身の目的に適した検索を行うことが難しい。
【０００８】
それを解決するために、利用者自身が自由に決定するフリーキーワードで検索を行い、検索に該当する一つの場所を示す案内図を表示するシステムも開示されている。しかし、この場合、表示される目的の場所は一つであるため、目的の場所が複数に及ぶとき、利用者は複数の目的の場所を一目で知ることができない。検索を複数回繰り返さなければならない。
【０００９】
そこで、本発明は、上記課題を考慮し、利用者による数少ない操作により、利用者が目的とする複数の場所を、利用者に一目で認識させる位置描画装置を提供することを目的とする。
【課題を解決するための手段】
【００１０】
上記目的を達成するために、本発明に係る位置描画装置は、与えられたキーワードに該当する位置を描画する位置描画装置であって、利用者によって自由に決定された第１の検索キーワードを受け付ける受付手段と、所定の領域内の多数の区画それぞれの内容を文字により特定する区画内容情報から、前記第１の検索キーワードを含む複数の区画を検索する検索手段と、前記多数の区画それぞれの位置を特定する区画位置情報から、前記第１の検索キーワードを含む複数の区画それぞれの位置を取得する位置取得手段と、前記第１の検索キーワードを含む複数の区画それぞれの位置の情報に基づいて、前記第１の検索キーワードを含む複数の区画を、前記第１の検索キーワードを含まない区画と区別して、前記領域の地図に描画する描画手段とを備えることを特徴とする。
【００１１】
これによって、利用者は複数の目的の場所を自身で決定するキーワードにより検索でき、複数の目的の場所を一目で認識できることとなり、利用者が真に自身の目的に沿った場所を効率よく巡ることが可能となる。
【００１２】
なお、本発明は、本発明の位置描画装置が備える特徴的な手段をステップとする位置描画方法として実現したり、それらのステップをコンピュータに実行させるプログラムとして実現したりすることもできる。そのプログラムは、ＣＤ−ＲＯＭ等の記憶媒体やインターネット等の伝送媒体を介して配信することができる。
【発明の効果】
【００１３】
本発明は、利用者による数少ない操作により、利用者が目的とする複数の場所を、利用者に一目で認識させる位置描画装置を提供することができる。
【発明を実施するための最良の形態】
【００１４】
以下、本発明を実施するための最良の形態について図面を用いて詳細に説明する。
先ず、本発明の実施の形態におけるポスターセッション会場検索システムの構成を、図１〜図７を用いて説明する。
【００１５】
図１は、位置描画装置を含む、ポスターセッション会場検索システムのハードウェア構成図である。ポスターセッション会場検索システムは、ポスターセッションが行われる会場内での各発表が行われる区画（以下、単に「区画」という。）についての情報を表示、および印刷するシステムであって、位置描画装置１と、キーボード２１と、マウス２２と、表示装置３１と、印刷装置３２とによって構成される。
【００１６】
位置描画装置１は検索等の指示を受け付け、指示に対応する処理を実行する装置であって、例えばコンピュータによって実現される。キーボード２１及びマウス２２は、利用者が位置描画装置１に対し、キーワードの入力や、検索実行、区画の選択などの指示を入力するための装置であり、表示装置３１は、位置描画装置１によって得られた検索結果などを表示する装置であり、印刷装置３２は、位置描画装置１によって得られた検索結果などを印刷する装置である。
【００１７】
図２は、上記ポスターセッション会場検索システムの機能的な構成を示す機能ブロック図である。ポスターセッション会場検索システムは、入力部２０と、位置描画装置１と、表示装置３１と、印刷装置３２とを備える。
【００１８】
入力部２０は、利用者が、自身で自由に決定するフリーキーワードや、各種指示を位置描画装置１へ入力するための処理部であって、キーボード２１及びマウス２２により構成される。
【００１９】
位置描画装置１は上述したように、検索等の指示を受け付け、指示に対応する処理を実行する装置であって、図２に示すように、受付部２と、受付内容判定部３と、選択区画抽出部４と、キーワード解析部５と、検索部６と、会場案内ファイル格納部７と、検索結果リスト出力部８と、区画位置取得部９と、地図データファイル格納部１０と、描画部１１とを備える。
【００２０】
受付部２は、入力部２０より入力された指示および、キーワードや検索結果リスト内での選択情報を受け付ける処理部である。なお、検索結果リストについては、図６を用いて後述する。
【００２１】
受付内容判定部３は、受付部２より受け取った指示により、キーワードをキーワード解析部５へ、検索結果リスト内での選択情報を選択区画抽出部４へ送信する処理部である。
【００２２】
選択区画抽出部４は、会場案内ファイル格納部７内に格納された会場案内ファイル７０と、受付内容判定部３より受け取った検索結果リスト内での選択情報とを比較対照することにより、選択情報に対応する区画の位置情報を抽出し、区画位置取得部９へ送信する処理部である。なお、会場案内ファイル７０については、図５を用いて後述する。
【００２３】
キーワード解析部５は、受付内容判定部３より受け取ったキーワードについて、文字の種類、数などを解析し、キーワードを適宜、検索部６の仕様に応じた形式に変換し、検索部６へ送信する処理部である。
【００２４】
検索部６は会場案内ファイル格納部７内に格納された会場案内ファイル７０を対象にし、受付内容判定部３より受け取ったキーワードで検索を行う処理部である。
【００２５】
会場案内ファイル格納部７は、会場案内ファイル７０を格納するための記憶装置であって、例えばハードディスクによって実現される。
【００２６】
検索結果リスト出力部８は、検索部６によって検索された区画に関する情報を描画部１１、および区画位置取得部９へ送信する処理部である。
【００２７】
区画位置取得部９は、地図データファイル格納部１０内に格納された地図データファイル１００と、検索結果リスト出力部８、または選択区画抽出部４より受け取った区画の位置情報とを比較対照し、位置情報に対応する区画を他の区画と区別して地図を描画するためのデータを生成し、描画部１１へ送信する処理部である。なお、地図データファイル１００の具体例については、図４を用いて後述する。
【００２８】
地図データファイル格納部１０は、地図データファイル１００を格納するための記憶装置であって、例えばハードディスクによって実現される。
【００２９】
描画部１１は、検索結果リスト出力部８より受け取った検索結果リストの出力に必要なデータと、区画位置取得部９から受け取った地図を描画するためのデータとを用いて、検索結果リスト及び地図を表示するための画像表示用データを生成し、表示装置３１へ出力し、また、印刷用データを生成し、印刷装置３２へ出力する処理部である。
【００３０】
図３は、位置描画装置１が、会場内の区画についての情報を対象としたキーワード検索を受け付ける際に、表示装置３１に出力する画面の表示例である。なお、区画についての情報とは、ポスターセッション会場内の全部の区画それぞれについての、発表のテーマ（以下、「発表テーマ」という。）や発表者などの情報および、会場内での位置についての情報を意味する。以下、その情報を会場案内情報という。その会場案内情報は、区画ごとの発表テーマや発表者などの情報および、会場内でのその区画の位置についての区画情報複数個によって構成されている。また、区画情報は文字により記述されている。会場案内情報、および会場案内情報を構成する区画情報の詳細は図５を用いて後述する。
【００３１】
図３に示すポスターセッション会場検索画面３１０は、利用者からの検索指示を受け付けるための初期画面である。ポスターセッション会場検索画面３１０は、地図表示領域３１１と、キーワード入力欄３１２と、検索実行ボタン３１３と、検索結果リスト表示領域３１４とを備える。地図表示領域３１１は、白を背景色とし、会場全体の地図を表示する領域である。キーワード入力欄３１２は、利用者によって自由に決定されたフリーキーワードが記入される欄である。検索実行ボタン３１３は、利用者にクリックされることによって検索を開始させるためのボタンである。検索結果リスト表示領域３１４は、検索に該当した区画の情報をリスト表示する領域である。なお、検索結果が出力された画面の表示例は、図６及び図７を用いて後述する。
【００３２】
図４は、地図データファイル格納部１０内に格納された地図データファイル１００のデータ構成の一例を示す図である。
【００３３】
図４に示す地図データファイル１００は、会場全体をＸ−Ｙ平面に定義したもので、そのＸ−Ｙ平面上に存在する長方形の一つ一つが、発表が行われる区画を表す。図４の例では、各区画は大きさの等しい長方形であり、各区画の左上の頂点を基準とすれば、それぞれの区画の位置は、Ｘ、Ｙそれぞれの値により一意に定まる。例えば、Ｘ＝２５０、Ｙ＝１１４という値を用いれば、図中の「Ｎ」で示された区画の位置が定まる。
【００３４】
図５は、会場案内ファイル格納部７内に格納された会場案内ファイル７０のデータ構成の一例を示す図である。
【００３５】
図５に示すように、この会場案内ファイル７０は、会場内の全部の区画の区画情報で構成される会場案内情報が記録されたファイルである。区画情報は、前述の通り、区画ごとの発表テーマや発表者などの情報および、会場内でのその区画の位置についての情報であって、図５における各行の一群の情報である。
【００３６】
会場案内ファイル７０に記録された会場案内情報は大きく分けて以下の３つの項目部、つまり、検索及び表示用項目部７１と、検索用項目部７２と、表示制御用項目部７３とに分けられる。
【００３７】
検索及び表示用項目部７１は検索対象となり、かつ、検索結果として検索結果リスト表示領域３１４へ表示される項目の集合であり、発表テーマと、区画名とが含まれる。なお、この例の場合、区画名はユニークな値であり、区画名により、区画情報を特定できる。
【００３８】
検索用項目部７２は検索対象となる項目の集合であり、発表内容の要約と、発表者名と、発表者名のカナと、発表者が所属する会社名及び事業部名とが含まれる。
【００３９】
表示制御用項目部７３は各区画の位置を特定する項目の集合であり、Ｘ位置、とＹ位置とが含まれる。このＸ位置及びＹ位置の値と、上記図４を用いて説明した地図データファイル１００とを比較対照することにより、会場内での各区画の位置が特定される。特定された位置は、描画部１１によってその位置に対応する区画が地図へ描画される際に用いられる。
【００４０】
図６は、位置描画装置１がキーワード検索を実行し、その結果を表示装置３１に出力する画面の表示例である。
【００４１】
図６に示すポスターセッション会場検索画面３２０は、検索実行後に、検索結果を
表示する検索結果表示画面である。なお、この図６は、検索キーワード「ｄｖｄ」で検索を行い、１２件の区画情報が該当した場合の例を示している。
【００４２】
地図表示領域３２１は、検索結果に対応した、会場全体の地図を表示する領域である。この図６の例では、検索に該当した１２区画の背景色のみが白から緑（図６中では斜線で表現している。）に変わっている。該当件数表示欄３２２は検索に該当した件数を表示する欄である。この図６の例では、検索結果を受けて「１２件」と表示されている。検索結果リスト表示領域３２３は、検索結果をリスト形式で表示する領域、つまり検索結果リストを表示する領域であって、最大で９行を表示する仕様である。しかし、検索に該当した件数が９件以上の場合は、図６に示す検索結果リスト表示領域３２３の右端に表示されているスクロールバー３２５を利用者が操作することにより、１０件目以降の該当した検索結果を表示させることができる。 この図６の例では、検索に該当した１２件のうち、９件の区画情報が表示されているが、前述の通り、検索結果リスト表示領域３２３の右端のスクロールバー３２５を操作することにより、残り３件の表示は可能である。印刷ボタン３２４は、検索結果リストや検索結果に対応した地図など、利用者の操作により位置描画装置１が行った処理の結果を印刷装置３２に出力するためのボタンである。なお、この検索結果リスト表示領域におけるスクロールバー、及び、印刷ボタンは、画面の表示例として後に説明を行う、図７、図９、図１０、図１１、図１２、図１３においても存在し、この図６での説明と同じ役割を果たす。
【００４３】
図７は、前述の検索結果リスト内の一つの区画情報が選択された場合に、位置描画装置１が表示装置３１に出力する画面の表示例である。
【００４４】
図７に示すポスターセッション会場検索画面３３０は、図６に示す検索結果が表示された後に、検索結果リスト表示領域３３２内において、区画名「Ｄ−３」の区画情報が選択された場合の検索結果内選択画面である。
【００４５】
地図表示領域３３１は、検索に該当した区画と、選択された区画とを含め、会場全体の地図を表示する領域である。この図７の例では、選択された「Ｄ−３」の背景色が緑（図６中では斜線で表現している。）から赤（図７中ではドットで表現している。）に変更されている。なお、この図７を含め、表示画面の遷移については、以下の動作の説明内にて詳述する。
【００４６】
次に、以上のように構成されたポスターセッション会場検索システムの動作を説明する。その際、図８及び、位置描画装置１が利用者のために表示装置３１により表示させる画面の表示例（既出の図３、図６、図７）とデータ構成例（既出の図５）とを用い、利用者によりフリーキーワード「ｄｖｄ」が入力され、それを用いて検索する場合の具体例をもって説明する。なお、図６の説明で述べたとおり、ポスターセッション会場検索画面の中にある印刷ボタン（例えば図６の印刷ボタン３２４）がクリックされると、位置描画装置１は、利用者の操作により位置描画装置１が行った処理の結果を印刷装置３２に出力し、印刷を行う。また、図２の説明で述べたとおり、描画部１１は、検索部６、検索結果リスト出力部８、及び区画位置取得部９が行った同じ処理結果から、画像表示用データ、及び、印刷用データを生成し、それぞれ、表示装置３１及び印刷装置３２へ出力する。その結果、表示装置３１が表示する内容と、印刷装置３２が印刷する内容とは等価なものである。よって、表示に関する動作の流れを説明し、印刷に関する動作の流れの説明は省略する。
【００４７】
図８は、本発明の実施の形態であるポスターセッション会場検索システムに備えられる位置描画装置１の動作の流れを示すフローチャートである。
【００４８】
先ず、位置描画装置１が起動すると、検索部６が、会場案内ファイル格納部７に格納されている会場案内ファイル７０から全ての区画情報（会場案内情報）を抽出し、検索結果リスト出力部８へ送信する。検索結果リスト出力部８は、全ての区画情報について、区画名と、区画位置情報である「Ｘ位置」及び「Ｙ位置」とを抽出し、区画位置取得部９へ送信する。
区画位置取得部９は、受け取った全区画の区画位置情報と、地図データファイル格納部１０より呼び出した地図データファイル１００とを比較対照し、全ての区画について区画名を付加した地図描画用データを生成し、描画部１１へ送信する。描画部１１は、区画位置取得部９より受け取った地図描画用データより、区画を表す線、及び区画名の文字以外は透過性を持った地図（以下、「基本地図」という。）を生成し、表示装置３１へ出力する。これにより、表示装置３１は、図３に示す検索指示を受け付ける際の初期画面であるポスターセッション会場検索画面３１０を表示する。
【００４９】
図３に示すポスターセッション会場検索画面３１０が表示装置３１によって表示されると、利用者は、キーボード２１により、図３のキーワード入力欄３１２に、利用者自身が自由に決定したフリーキーワード「ｄｖｄ」を記入し、マウス２２によって、検索を開始させるための検索実行ボタン３１３をクリックする。そのクリックにより、受付部２は、キーワード「ｄｖｄ」と、「検索」という指示とを受け付ける（Ｓ１）。
【００５０】
受付内容判定部３は、受付部２より受け取った指示が「検索」指示か「選択」指示かを判定する（Ｓ２）。この例の場合「検索」であるので（Ｓ２で検索）、受付内容判定部３はキーワード解析部５へキーワード「ｄｖｄ」を送信する。
【００５１】
キーワード解析部５は、受付内容判定部３より受け取ったキーワード「ｄｖｄ」が複数のキーワードか、不要な空白が前後にないかなどの解析を行い、この場合はそのまま「ｄｖｄ」という文字列を、検索部６へ送信する（Ｓ３）。
【００５２】
検索部６は会場案内ファイル格納部７に格納されている会場案内ファイル７０を構成する全ての区画情報（会場案内情報）と、キーワード解析部５より受け取ったキーワード「ｄｖｄ」とを比較対照し、キーワード「ｄｖｄ」を含む区画情報を検索する（Ｓ４）。そして、検索部６は、検索した区画情報を検索結果リスト出力部８へ出力する。この例の場合、検索に該当した１２件の区画情報を検索結果リスト出力部８へ送信する（Ｓ５）。
【００５３】
検索結果リスト出力部８は、検索部６より受け取った区画情報の件数が１以上か否かを判定する（Ｓ６）。この例の場合、件数は１２件であり、つまり１以上であるので（Ｓ６でＹＥＳ）、検索結果リスト出力部８は、検索部６より受け取った各区画情報の、図５に示す検索及び表示用項目部７１の項目である「発表テーマ」及び「区画名」を抽出し描画部１１へ送信する（Ｓ８）。また、検索結果リスト出力部８は、検索部６より受け取った各区画情報の、表示制御用項目部７３の項目である「Ｘ位置」及び「Ｙ位置」の抽出も行い、区画位置取得部９へ送信する（Ｓ８）。
【００５４】
区画位置取得部９は、地図データファイル格納部１０より呼び出した地図データファイル１００と、検索結果リスト出力部８より受け取った１２件の「Ｘ位置」及び「Ｙ位置」とを比較対照し、検索結果に対応した１２区画の背景色を緑で表示させるための地図描画用データを生成し、描画部１１へ送信する（Ｓ９）。ここで、地図描画用データは、上記１２区画を特定する「Ｘ位置」及び「Ｙ位置」と、その１２区画の背景色を緑で表示させるためのデータである。
【００５５】
描画部１１は、検索結果リスト出力部８より受け取った１２件の「発表テーマ」及び「区画名」を用い、図６の検索結果リスト表示領域３２３に示すように検索結果リストを生成する（Ｓ１０）。また、描画部１１は、区画位置取得部９より受け取った、地図描画用データを用い、検索結果に対応した１２区画の背景色を緑で示す地図も生成する（Ｓ１０）。また、描画部１１は、検索に該当した件数をカウントし、この場合は「１２件」というデータを、生成した検索結果リスト及び地図とともに、表示装置３１へ出力する（Ｓ１０）。
【００５６】
上記の動作の流れの結果、表示装置３１は、図６のポスターセッション会場検索画面３２０に示すように、検索結果リスト表示領域３２３に、検索に該当した１２件の区画名、及び発表テーマから構成される検索結果リストを表示し、該当件数表示欄３２２には、「１２件」を表示する。また、表示装置３１は、地図表示領域３２１では、検索結果に対応した１２区画の背景色のみを白から緑（図６中では斜線で表現している。）に変更する。
【００５７】
それに対して、検索結果リスト出力部８が検索部６より受け取った区画情報の件数が０
であった場合、つまり検索結果が０件であった場合には（Ｓ６でＮＯ）、描画部１１は「０件」を表示装置３１へ出力する（Ｓ７）。この場合、図６において地図表示領域３２１は検索実行前の初期画面である図３の地図表示領域３１１と同じ表示となり、検索結果リスト表示領域３２３には何も表示されない。また該当件数表示欄３２２に「０件」と表示される。
【００５８】
ところで、図６のポスターセッション会場検索画面３２０が表示装置３１によって表示されると、利用者は、検索結果リスト表示領域３２３に表示される、検索に該当した１２件の区画の何れかを選択することができる。そこで次に、受付部２が検索結果リスト表示領域３２３内に表示された検索結果リストの中から、一つの区画情報の選択を受け付けた場合（Ｓ２で選択）の動作の流れを説明する。
【００５９】
ここで説明の便宜上、図６に示すポスターセッション会場検索画面３２０内において、利用者が操作するマウス２２によって、検索結果リスト表示領域３２３内に表示されている検索結果リストの、上から６行目である「Ｄ−３」の行がクリックされるという状況を想定する。このように「Ｄ−３」の行が選択されると、受付部２は「Ｄ−３の行」が選択された、という選択位置情報と、「選択」という指示とを受け付ける（Ｓ１）。
【００６０】
受付内容判定部３は指示が「選択」であるという判定を行い、選択区画抽出部４へ選択位置情報「Ｄ−３の行」を送信する（Ｓ２で選択）。
【００６１】
選択区画抽出部４は、受付内容判定部３より受け取った選択位置情報「Ｄ−３の行」から区画名「Ｄ−３」を抽出する。また、会場案内ファイル格納部７より読み出した会場案内ファイル７０と、抽出した区画名「Ｄ−３」という区画名とを比較対照し、「Ｄ−３」の区画位置である「Ｘ位置＝２５０、Ｙ位置＝１１４」を抽出し、区画位置取得部９へ送信する（Ｓ１１）。
【００６２】
区画位置取得部９は、地図データファイル格納部１０より呼び出した地図データファイル１００と、選択区画抽出部４より受け取った、「Ｘ位置＝２５０、Ｙ位置＝１１４」というデータとを比較対照し、「Ｄ−３」の区画の背景色を赤で表示させるための区画描画用データを生成し、描画部１１へ送信する（Ｓ１２）。
【００６３】
描画部１１は、区画位置取得部９より受け取った区画描画用データを用い、地図表示領域３３１内の「Ｄ−３」の区画の背景色のみが緑から赤に変更した画面を生成し、表示装置３１へ送信する（Ｓ１３）。
【００６４】
上記の動作の流れの結果、図７のポスターセッション会場検索画面３３０に示すように、地図表示領域３３１では、検索結果に対応する１２区画のうち、利用者に選択された「Ｄ−３」の区画の背景色のみを緑（図７中では斜線で表現している。）から赤（図７中ではドットで表現している）に変更されており、残る１１区画は緑のままである。
【００６５】
上述したように、本発明の実施の形態である、ポスターセッション会場検索システムは、利用者自身が自由に決定するフリーキーワードを受け付け、そのフリーキーワードで、会場内の区画情報を対象とした検索を行い、複数の検索結果に対応した区画の背景色を緑とし、検索に該当しなかった区画の背景色を白とした地図の表示、もしくは印刷を行う。これにより、利用者の一回の操作により、その利用者に、その利用者が目的とする複数の区画の位置を、一目で認識させることができ、利用者はそれらの区画を効率的に巡ることが可能となる。
【００６６】
さらに、ポスターセッション会場検索システムは、利用者による、検索結果リスト内での区画情報の選択を受け付け、地図の表示において、その選択された区画情報に対応した区画の背景色のみ緑から赤へ変更する。結果として、検索結果に対応した区画の背景色を緑、その中からさらに選択された区画の背景色を赤とした地図の表示、もしくは印刷を行うこととなる。これにより、利用者に、例えば、複数の区画の中からプライオリティの最も高い発表が行われる区画に目印を付けさせることが可能となり、利用者はその区画を基点として、他の目的の区画を巡るといった、より実用的な計画を立てることが可能となる。
【００６７】
なお、上述した実施の形態では、検索部６は、キーワードの大文字、小文字の区別はなく、スペースで区切られた複数のキーワードについては、ＡＮＤ検索を行うなどの基本的な仕様を規定しているが、フリーキーワードで検索可能であれば、この仕様に限らない。
【００６８】
また、会場案内ファイル７０は、図５に示すように、ポスターセッションでの発表に関する情報と、各区画の位置についての情報が一つのファイルに記述されているとしてもよいし、前記各情報を別のファイルとし、区画名などをキーとしたリレーションを行う複数のファイルとしてもよい。
【００６９】
また、会場内の各区画は、大きさの等しい長方形の場合で説明を行ったが、各区画が、それぞれ異なる形状、大きさであってもよく、その場合、会場案内ファイル７０が持つ各区画の位置情報によって、各区画が特定されるように、地図データファイル１００内において、それぞれの区画の形状と大きさと位置とが定義されていればよい。
【００７０】
また、会場案内ファイル７０が各区画の位置情報は持たず、地図データファイル１００が区画名と区画の位置情報とを持ち、検索結果リスト出力部８は、会場案内ファイル７０の区画名と地図データファイル１００の区画名とを比較対照することにより、各区画の位置を決定してもよい。
【００７１】
また、図６の説明で、検索結果リスト表示領域３２３において、検索に該当した区画情報の最大表示件数を９件としたが、表示装置３１の物理的な表示領域に応じて、最大表示件数を変更してもよいし、画面上で、利用者が自由に変更できてもよい。
【００７２】
また、印刷装置３２が印刷する内容について、表示装置３１が表示する内容と同じものであるとしたが、例えば、画面表示では、地図には区画名のみの表示であるが、印刷では、地図内の各区画に、それぞれの発表テーマも付加して印刷する、といった変化があってもよい。
【００７３】
また、図７を用いて、検索結果リストの中から一つの区画情報が選択された場合について説明を行ったが、検索結果リストの中から複数の選択が行われた場合に対応してもよい。
【００７４】
図９は、検索実行後に、検索結果リスト内の区画情報が複数選択された場合に、位置描画装置１が表示装置３１に出力する画面の表示例である。
【００７５】
図９に示すように、ポスターセッション会場検索画面３４０内の検索結果リスト表示領域３４２内において、「Ｄ−３」、及び「Ｅ−２」の二つの行が選択されており、地図表示領域３４１においても、「Ｄ−３」、及び「Ｅ−２」の二つの区画の背景色が赤（図９中ではドットで表現している。）に変更されている。この場合、図８のフローチャートにおいて、入力・指示受付から、該当区画再描画までの動作にあたるＳ１、Ｓ２、Ｓ１１、Ｓ１２、Ｓ１３の各処理が、繰り返し行われるだけであり、その適用は容易である。また、３以上の区画情報の選択も可能であることはいうまでもない。また。このように、複数の選択が行えることにより、複数の目的の場所の中から、優先順位が高いもの、もしくは低いものなどを複数選択し、目印をつけることが可能となり、この地図の利用者にとっての利便性がより高くなる。
【００７６】
また、検索自体についても、上記実施の形態では、一回検索した例のみの説明であったが、一回検索した後に、さらにキーワードを追加し、絞込み検索を行ってもよい。
【００７７】
ここで、絞込み検索とは、ある検索結果を対象とした検索のことであり、複数のキーワードの全てにマッチした検索対象のみを検索結果として表示するＡＮＤ検索の場合と異なり、最初のキーワードによる検索結果表示を残しながら、その検索結果表示内において、絞込み用に入力されたキーワードによる検索に該当したものを得ることをいう。この絞込み検索は、絞込み検索用の記憶装置（以下、第二記憶装置とする。）を用意し、位置描画装置１の各構成部が以下に図１０を用いて説明をする動作を行うことで実現される。なお、「第二記憶装置」は、例えば、位置描画装置１であるコンピュータのＲＡＭなどの主記憶装置の一部を第二記憶装置として使用する、もしくは、絞込み検索用としてハードディスクなどの記憶装置を用意することにより実現される。
【００７８】
図１０は、最初にキーワード「ｄｖｄ」にて検索が行われ、その後にキーワード「レコーダ」にて絞込み検索が行われた結果を、位置描画装置１が表示装置３１に出力する画面の表示例である。
【００７９】
先ず、最初の検索である、キーワード「ｄｖｄ」による検索が行われた際、受付内容判定部３において、指示が「検索」であることにより、受付部２より受け取ったキーワード「ｄｖｄ」を第二記憶装置に書き込んでおく。またその検索に該当した１２件の区画情報も、検索部６によって第二記憶装置に書き込んでおく。
【００８０】
この状態で、キーワード入力欄３５２に「レコーダ」と追加され、つまり、キーワード入力欄３５２に「ｄｖｄ  レコーダ」と記入された状態で、検索実行ボタン３５３がクリックされる。
【００８１】
受付内容判定部３では「検索」の指示を受け付け、第二記憶装置に書き込まれているキーワード「ｄｖｄ」と、受付部２より受け取った新たなキーワードの「ｄｖｄ  レコーダ」との比較を行い、直前の検索キーワードである「ｄｖｄ」に新しく、キーワード「レコーダ」が追加されたことを確認し、「絞込み検索」という判定を行い、キーワード「レコーダ」をキーワード解析部５に送信し、「絞込み検索」という指示を検索部６に送信する。
【００８２】
キーワード解析部５は受付内容判定部３より受け取ったキーワード「レコーダ」を検索部６へ送信する。検索部６は、「絞込み検索」という指示を受け、第二記憶装置より「ｄｖｄ」での検索結果に該当した１２件の区画情報を呼び出し、キーワード解析部５より受け取ったキーワード「レコーダ」を比較対照し、キーワード「レコーダ」を含む区画情報を検索する。この場合は１２件中、３件（Ｂ−５、Ｄ−６、Ｅ−３）が該当し、３件の区画情報のみに絞込みフラグを立てた１２件の区画情報を検索結果リスト出力部８へ送信する。なお、絞込みフラグとは、フラグが立っていれば、つまり値が「１」であれば、絞込み検索に該当した情報であり、ヌル値であれば、最初の検索にのみ該当した情報であることを示すデータ項目とする。
【００８３】
検索結果リスト出力部８は、受け取った１２件のそれぞれの区画情報から、検索及び表示用項目部７１の項目である「発表テーマ」及び「区画名」を抽出する。そして、絞込みフラグが立っている３件の区画情報についてのみ、下線の付加を指定し、リストの上位に上げた、検索結果リスト表示用のデータを生成し、描画部１１に送信する。また、区画情報から表示制御用項目部７３である「Ｘ位置」及び「Ｙ位置」を抽出し、絞込みフラグを付加したまま、区画位置取得部９へ送信する。
【００８４】
区画位置取得部９は、地図データファイル格納部１０より呼び出した地図データファイル１００と、検索結果リスト出力部８より受け取った１２件の「Ｘ位置」及び「Ｙ位置」とを比較対照し、絞込みフラグの立っている３区画については背景色を黄色に、それ以外の区画の背景色は緑とした地図描画用データを生成し、描画部１１に送信する。
【００８５】
描画部１１は、検索結果リスト出力部８及び、区画位置取得部９より受け取ったデータより、絞込み検索結果に対応した、検索結果リストと、地図とを生成し、絞込み検索に該当した件数をカウントし、この場合は「３件」というデータとともに、表示装置３１へ出力する。
【００８６】
その結果、図１０の地図表示領域３５１内の地図において、１２件中、絞込み検索に該当した３件（Ｂ−５、Ｄ−６、Ｅ−３）の区画の背景色のみが、緑（図１０中では斜線で表現している。）から黄色（図１０中では格子で表現している。）に変更されており、残りの９件は緑のまま残っている。また、検索結果リスト表示領域３５５内の検索結果リストにおいては、該当の３件の区画情報に下線が付加され、リストの上位に表示されている。また、絞込み該当件数表示欄３５４に絞込み検索結果を受けて「３件」と表示されている。
【００８７】
このように、最初のキーワードによる検索結果に対応した区画をある色で表示し、その表示を残しながら、後から追加したキーワードによる絞込み検索に該当した区画のみを別の色に変更して表示することができるため、例えば、利用者の「ｄｖｄに興味があり、その中でもレコーダについての発表を見たい」といった階層的な要求をそのまま、階層的な表現として返すことができ、利用者にとって非常にわかり易い地図を提供することができる。
【００８８】
また、図１０に示すポスターセッション会場検索画面３５０内において、キーワード入力欄３５２を、最初の検索用である第一キーワード入力欄と、絞込み検索用の第二キーワード入力欄に分けた場合の画面の表示例が図１１である。
【００８９】
図１１に示すポスターセッション会場検索画面３６０内では、最初に行う検索のためのキーワードを入力する第一キーワード入力欄３６２と、絞込み検索を行うためのキーワードを入力する第二キーワード入力欄３６３とが存在している。この例では「ｄｖｄ」と「レコーダ」とが入力され、絞込み検索が行われている。
【００９０】
この場合、検索条件が図１０で説明した絞込み検索と全く同じであるため、図１１に示す地図表示領域３６１内の地図と、絞込み該当件数表示欄３６５に表示された件数と、検索結果リスト表示領域３６６に表示される検索結果リストとは、それぞれ、図１０に示す地図表示領域３５１内の地図と、絞込み該当件数表示欄３５４に表示された件数と、検索結果リスト表示領域３５５に表示された検索結果リストと同じものとなる。
【００９１】
しかし、図１０で説明した絞込み検索の場合、キーワード入力がキーワード入力欄３５２の一つだけであるため、最初のキーワードで検索を行った後に、キーワードを追加し、絞込み検索を行うという、２段階の手順が必要になるが、キーワード入力欄を二つに分けた場合は、第一キーワード入力欄３６２と第二キーワード入力欄３６３に、それぞれキーワードを入力した後に、検索実行ボタン３６４を一度だけクリックすればよいことになる。つまり、利用者から見ると、見かけ上、一回の検索で絞込み検索が行えることとなり、利便性が増すことになる。また、図１１のようにキーワード入力欄を二つに分けた場合であっても、第一キーワード入力欄３６２にキーワードを入力し、検索した後に、第二キーワード入力欄３６３にキーワードを入力し、絞込み検索を行うという、２段階の手順が可能であってもよい。
【００９２】
さらに、第一キーワード入力欄３６２と第二キーワード入力欄３６３のそれぞれが、ＡＮＤ検索を受け付けることで、さらに詳細な絞込みが可能である。
【００９３】
以上、図１０、図１１において二つのキーワードによる絞込み検索が可能な形態について説明したが、この絞込み検索は、３個以上のキーワードによる絞込み検索でもよく、例えばｍを３以上の整数とすると、ｍ個のキーワードによる絞込み検索の場合、ｍ−１個目までの絞込み検索の結果を、最初の検索結果とみなし、その最初の検索結果に対して、ｍ個目のキーワードで絞込み検索を行うと捉えればよく、結果として３個以上のキーワードによる絞込み検索が可能である。また、この絞込み検索実行後であっても、図７で説明した、利用者自身が検索結果リスト内で選択を行うことによる、表示の変更が可能であってもよく、その画面の表示例が図１２である。
【００９４】
図１２は、絞込み検索結果の画面の表示例である図１０の、検索結果リスト表示領域３５５内に表示された検索結果リストの中から、区画情報が一つ選択された場合の画面の表示例が図１２である。
【００９５】
図１２に示すように、ポスターセッション会場検索画面３７０において、検索結果リスト表示領域３７２内に表示された区画情報の中から、「Ｄ−３」の行が選択されており、地図表示領域３７１内の「Ｄ−３」の区画の背景色が赤（図１２中ではドットで表現している。）に変更されている。ここで、図９を用いて説明したように、複数の選択に対応してもよい。こうすることで、最初の検索結果表示、および、絞込み検索の結果表示に重ねて、利用者が任意に選択した区画を、一つの地図上で、別々の色で表すことになり、利用者から見ると、３段階に分けられた、自身の目的となる区画を視覚的に捉えることが可能となる。その結果、例えば、最初の検索で多数の区画が該当し、その中から、なるべく多くの区画を巡りたい場合などにおいて、その目的の区画を、より効率的に巡ることが可能となる。
【００９６】
また、図６に示す地図表示領域３２１のように、地図内の各区画には、区画名のみの表示になっているが、全体の区画数、および、表示装置３１の物理的な表示領域との関係で、視認性が確保できれば、発表テーマなどの情報も同時に表示してもよい。また、視認性が確保できず、区画内に、その区画に付加された情報を表示することができない場合には、表示の拡大機能を備えることにより、拡大表示したときのみ、必要な情報を表示するとしてもよい。
【００９７】
図１３は、検索結果画面内の地図表示領域を拡大表示した場合の画面の表示例である。
図１３に示すポスター会場検索画面３８０において、のズームボタン部３８２内の「＋」ボタンをクリックすることにより、検索結果リスト表示領域３８４内で選択された「Ｄ−３」の区画を中心とした場所が、所定の倍率で拡大され、また、区画内に発表テーマの一部が表示されている。この拡大をさらに行うと、発表者名などの他の情報が追加表示されるなどの段階的な表示機能があってもよく、また、拡大を行う際の中心点も、選択が行われていないときは、会場の中心点であるなどであってもよい。また、拡大を行った時のために、移動ボタン部３８３を設け、上下左右に地図が移動する地図スクロール機能をもたせてもよい。こうすることで、地図を拡大したために、地図表示領域３８１内の表示が会場全体の表示ではなくなった際に、各区画の情報を地図上で閲覧しながら、地図をスクロールさせ、利用者自身で行った検索や選択などにより選ばれた区画の位置関係をつかむことができる。また、この例では、検索結果に該当した区画のみ、発表テーマを表示させているが、拡大時には、すべての区画に発表テーマなどの情報を表示するとしてもよい。
【００９８】
この、地図の拡大や、地図のスクロールを行う場合は、位置描画装置１において、受付部２、及び、受付内容判定部３が、クリックされたボタンにより、「拡大」、「縮小」、または「左」、「右」、「上」、「下」の指示を受け付け、「地図拡大」、「地図スクロール」の判断を行い、描画部１１へそれらの指示を送信し、描画部１１はそれらの指示により地図の描画を行えばよい。
【００９９】
また、上記説明内において、表示内における特定の場所を、他の場所と区別して明示する手法として、「赤」、「緑」、「黄色」などの色を用いたが、表現手法は色に限定されるものではない。ハッチングやドットなどの背景、もしくは、点滅・点灯などの効果、もしくは、３Ｄ表現や拡大などの場所自体の形状の変更を、単独で、または複合で加える手法でもよい。また、例えば、場所Ａでの点滅の間隔と、場所Ｂでの点滅の間隔とを変えることによって区別する手法でもよい。
【０１００】
また、図１０を用いて説明した、絞込み検索の結果の表示において、絞込み検索に該当した３件の区画情報について、「下線を付加する」としたが、「太字に変更する」や、「文字色を変更する」などでもよく、検索結果リスト内において、絞込み検索に該当した区画情報と、絞込み検索に該当しなかった区画情報とを区別できる表現手法であればよい。
【０１０１】
また、位置描画装置１に、キーワードや、検索実行などの指示を入力する入力装置として、図１に示した、キーボード２１やマウス２２の他に、表示装置も兼ねた、タッチパネル式ディスプレイでもよく、この場合は、表示画面上にソフトウェアキーボードを配すことにより、キーボード、およびマウスが不要になるため、会場内に多数の端末を用意し、多くの来場者に使用してもらう場合などにおいて、端末の設置面積が少なくてすむ利点のほか、機器のメンテナンス面でも管理者の負担を減らす効果もある。
【０１０２】
また、全ての形態について、スタンドアローンのコンピュータシステムでの実施に限らず、ネットワーク経由でのサーバ・クライアントシステムでの実施も可能である。
【０１０３】
図１４は、本発明に係わる位置描画装置をサーバとし、ネットワーク経由でクライアントＰＣで接続されたサーバ・クライアントシステム構成図であって、位置描画装置１と、複数のクライアントＰＣ２０１〜２０３と、これらを相互に接続するネットワーク通信網２００とで構成される。
【０１０４】
このネットワーク通信網２００はインターネットであってもよく、その場合は、利用者が、ポスターセッション会場に行く前に、自宅でクライアントＰＣ２０１を用いて検索を行い、必要な地図等の情報をクライアントＰＣ２０１に接続された印刷装置３２に出力し、そのプリントアウトを持って会場に行くなどの利用が考えられる。また、このサーバ・クライアントシステムをポスターセッション会場に導入すれば、会場内に、クライアントＰＣを複数設け、多数の利用者が同時に使用できることになる。
【０１０５】
また、ポスターセッション会場を検索の対象とした説明を行ってきたが、その対象は、モーターショーなどの展示会や、百貨店、ショッピングモールなどの大型商業施設などでもよく、また、屋内に限らず、例えば、観光地を対象とした名所・旧跡などの観光スポットの検索や、商業地域を対象としたレストラン、ケーキショップなどのショップ検索を目的とした検索システムに適用してもよい。
【産業上の利用可能性】
【０１０６】
本発明に係わる位置描画装置は、レジャー、仕事などの用途を問わず、日常的に存在する、「未知である領域内の複数の場所を効率よく巡る、もしくは複数の場所の位置関係を知る」といった目的のために用いられる。具体的には、本発明に係わる位置描画装置は、ポスターセッション会場において、発表の行われる区画を検索する、ポスターセッション会場検索装置等として、また、百貨店やショッピングモールなどの大型商業施設での、売り場検索装置等として、また、観光地での観光スポット検索装置等として利用できる。
【図面の簡単な説明】
【０１０７】
【図１】実施の形態のポスターセッション会場検索システムのハードウェア構成図である。
【図２】実施の形態のポスターセッション会場検索システムの機能的な構成を示す機能ブロック図である。
【図３】実施の形態の位置描画装置が出力する、検索を受け付けるための画面の表示例を示す図である。
【図４】地図データファイルのデータ構成の一例を示す図である。
【図５】会場案内ファイルのデータ構成の一例を示す図である。
【図６】実施の形態の位置描画装置がキーワード検索を実行し、その結果を表示装置に出力する画面の表示例を示す図である。
【図７】検索結果リスト内の区画情報が選択された場合に、位置描画装置が表示装置に出力する画面の表示例を示す図である。
【図８】実施の形態の位置描画装置の動作の流れを示すフローチャートである。
【図９】検索結果リスト内の区画情報が複数選択された場合に、位置描画装置が表示装置に出力する画面の表示例を示す図である。
【図１０】絞込み検索が行われた場合に、位置描画装置が表示装置に出力する画面の表示例を示す図である。
【図１１】キーワード入力欄を、最初の検索用である第一キーワード入力欄と、絞込み検索用の第二キーワード入力欄に分けた場合の画面の表示例を示す図である。
【図１２】絞込み検索結果の画面において、検索結果リストの中から、区画情報が一つ選択された場合の画面の表示例を示す図である。
【図１３】検索結果画面内の地図表示領域を拡大表示した場合の画面の表示例を示す図である。
【図１４】位置描画装置をサーバとしたサーバ・クライアントシステム構成図である。
【図１５】特許文献１に開示されている案内システムによる表示画面の一例を示す図である。
【符号の説明】
【０１０８】
１    位置描画装置
２    受付部
３    受付内容判定部
４    選択区画抽出部
５    キーワード解析部
６    検索部
７    会場案内ファイル格納部
８    検索結果リスト出力部
９    区画位置取得部
１０    地図データファイル格納部
１１    描画部
２０    入力部
２１    キーボード
２２    マウス
３１    表示装置
３２    印刷装置
７０    会場案内ファイル
１００    地図データファイル
２００    ネットワーク通信網
２０１〜２０３    クライアントＰＣ
３１０、３２０、３３０、３４０、３５０、３６０、３７０、３８０    ポスターセッション会場検索画面
３１１、３２１、３３１、３４１、３５１、３６１、３７１、３８１    地図表示領域
３１２、３５２    キーワード入力欄
３１３、３５３、３６４    検索実行ボタン
３１４、３２３、３３２、３４２、３５５、３６６、３７２、３８４    検索結果リスト表示領域
３２２    該当件数表示欄
３２４    印刷ボタン
３２５    スクロールバー
３５４、３６５    絞込み該当件数表示欄
３６２    第一キーワード入力欄
３６３    第二キーワード入力欄
３８２    ズームボタン部
３８３    移動ボタン部
【図１】
2006120053.tif 000003
【図２】
2006120053.tif 000004
【図３】
2006120053.tif 000005
【図４】
2006120053.tif 000006
【図５】
2006120053.tif 000007
【図６】
2006120053.tif 000008
【図７】
2006120053.tif 000009
【図８】
2006120053.tif 000010
【図９】
2006120053.tif 000011
【図１０】
2006120053.tif 000012
【図１１】
2006120053.tif 000013
【図１２】
2006120053.tif 000014
【図１３】
2006120053.tif 000015
【図１４】
2006120053.tif 000016
【図１５】
2006120053.tif 000017